【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】
液化石油ガスを収容するバルク容器の上部に、ガス取出弁および該ガス取出弁に接続されるガス供給設備ユニットを設ける一方、前記バルク容器の側部に、液取入弁および液取出弁など他の付属機器を設けたことを特徴とする液化石油ガスのバルク供給装置。
【請求項２】
前記バルク容器の上部に、安全弁を設けたことを特徴とする請求項１記載の液化石油ガスのバルク供給装置。
【請求項３】
前記ガス取出弁、安全弁およびガス供給設備ユニットを第１のプロテクタで覆うとともに、前記液取入弁および液取出弁など他の付属機器を第２のプロテクタで覆うことを特徴とする請求項２記載の液化石油ガスのバルク供給装置。
【請求項４】
前記ガス供給設備ユニットは、ガス放出防止器および圧力調整器を備えていることを特徴とする請求項１〜３のいずれか１項に記載の液化石油ガスのバルク供給装置。
【請求項５】
前記バルク容器は、縦長形状であることを特徴とする請求項１〜４のいずれか１項に記載の液化石油ガスのバルク供給装置。
【手続補正２】
【補正対象書類名】明細書
【補正対象項目名】０００９
【補正方法】変更
【補正の内容】
【０００９】
【課題を解決するための手段】
前記目的を達成するために、請求項１の発明は、液化石油ガスを収容するバルク容器の上部に、ガス取出弁および該ガス取出弁に接続されるガス供給設備ユニットを設ける一方、前記バルク容器の側部に、液取入弁および液取出弁など他の付属機器を設けた構成としてある。
【手続補正３】
【補正対象書類名】明細書
【補正対象項目名】００１０
【補正方法】変更
【補正の内容】
【００１０】
このような構成の液化石油ガスのバルク供給装置によれば、バルク容器内で気化したＬＰガスは、取出パイプを必要とすることなく、バルク容器の上部に設けたガス取出弁から直接外部に取り出されて再液化が抑制される。また、バルク容器の側部に他の付属機器を設けることで、ＬＰガス充填作業性や工事性およびメンテナンス性などが向上する。
【手続補正４】
【補正対象書類名】明細書
【補正対象項目名】００１１
【補正方法】変更
【補正の内容】
【００１１】
請求項２の発明は、請求項１の発明の構成において、前記バルク容器の上部に、安全弁を設けたことを特徴としている。
【手続補正５】
【補正対象書類名】明細書
【補正対象項目名】００１２
【補正方法】変更
【補正の内容】
【００１２】
このため請求項２の発明では、安全弁をバルク容器の上部に設けることで、放出パイプも不要となる。
【手続補正６】
【補正対象書類名】明細書
【補正対象項目名】００１３
【補正方法】変更
【補正の内容】
【００１３】
請求項３の発明は、請求項２の発明の構成において、前記ガス取出弁，安全弁およびガス供給設備ユニットを第１のプロテクタで覆うとともに、前記液取入弁および液取出弁など他の付属機器を第２のプロテクタで覆う。
【手続補正７】
【補正対象書類名】明細書
【補正対象項目名】００１４
【補正方法】変更
【補正の内容】
【００１４】
上記構成によれば、第１，第２のプロテクタで各部を覆うことで、美観が向上する。
【手続補正８】
【補正対象書類名】明細書
【補正対象項目名】００１５
【補正方法】変更
【補正の内容】
【００１５】
請求項４の発明は、請求項１〜３のいずれか１項の発明の構成において、前記ガス供給設備ユニットは、ガス放出防止器および圧力調整器を備えている。
【手続補正９】
【補正対象書類名】明細書
【補正対象項目名】００１６
【補正方法】変更
【補正の内容】
【００１６】
上記構成によれば、再液化の抑制により、ガス放出防止器および圧力調整器の劣化が抑制される。
【手続補正１０】
【補正対象書類名】明細書
【補正対象項目名】００１７
【補正方法】変更
【補正の内容】
【００１７】
請求項５の発明は、請求項１〜４のいずれか１項の発明の構成において、前記バルク容器は、縦長形状である。
【手続補正１１】
【補正対象書類名】明細書
【補正対象項目名】００１８
【補正方法】変更
【補正の内容】
【００１８】
上記構成によれば、バルク容器を縦長形状として設置スペースを最小限に抑えたものでも、バルク容器の上部にガス取出弁を設けることで、再液化が抑制される。
【手続補正１２】
【補正対象書類名】明細書
【補正対象項目名】００１９
【補正方法】変更
【補正の内容】
【００１９】
【発明の実施の形態】
以下、この発明の実施の形態を図面に基づき説明する。
【手続補正１３】
【補正対象書類名】明細書
【補正対象項目名】００２０
【補正方法】変更
【補正の内容】
【００２０】
図１は、この発明の実施の一形態を示す液化石油ガスのバルク供給装置の一部断面を含む正面図、図２は図１の左側面図、図３は図２の平面図である。バルク容器１５は、縦長形状としてバルク供給装置の設置スペースを最小限に抑えたもので、内部に収容されているＬＰガスは、液相部Ｌの上部に、液相部Ｌが気化した気相部Ｇが存在し、この気相部Ｇが存在するバルク容器１５の上部に、ガス取出弁１７，安全弁１９および前記ガス取出弁１７に接続されるガス供給設備ユニット２１が設けられている。ガス供給設備ユニット２１は、ガス取出弁１７側から配管２３の途中に順次接続配置される、ガス放出防止器２５，一次圧力調整器２７および二次圧力調整器２９から構成されている。
【手続補正１４】
【補正対象書類名】明細書
【補正対象項目名】００２１
【補正方法】変更
【補正の内容】
【００２１】
そして、上記ガス取出弁１７，安全弁１９およびガス供給設備ユニット２１は、バルク容器１５の上部に装着された第１のプロテクタ３１（図３では後述する蓋部３１ｂは省略してある。）により覆われている。この第１のプロテクタ３１から、前記配管２３が外部に引き出されて図示しないガスメータなどを介して燃焼器に接続される。但し、安全弁１９の上端は、第１のプロテクタ３１から外部に露出している。
【手続補正１５】
【補正対象書類名】明細書
【補正対象項目名】００２２
【補正方法】変更
【補正の内容】
【００２２】
バルク容器１５の液相部Ｌに対応する側部には、液取入弁３３，液取出弁３５および図示しない均圧弁，液面計など他の付属機器がそれぞれ装着されている。
液取出弁３５に一端が接続される液取出パイプ３７の他端は、バルク容器１５の底部に開口している。そして、上記液取入弁３３，液取出弁３５および均圧弁，液面計は、バルク容器１５の側部に装着された第２のプロテクタ３９によって覆われている。
【手続補正１６】
【補正対象書類名】明細書
【補正対象項目名】００２３
【補正方法】変更
【補正の内容】
【００２３】
上記した第１，第２の各プロテクタ３１，３９は、いずれも各機器の周囲を覆うようにバルク容器１５に固定される周壁部３１ａ，３９ａと、周壁部３１ａ，３９ａの開口を覆う開閉可能な蓋部３１ｂ，３９ｂとで構成されている。なお、符号４１で示すものは、梯子である。
【手続補正１７】
【補正対象書類名】明細書
【補正対象項目名】００２４
【補正方法】変更
【補正の内容】
【００２４】
上記した液化石油ガスのバルク供給装置によれば、バルク容器１５内の気化したＬＰガス（気相部Ｇ）は、ガス取出弁１７から配管２３側のガス放出防止器２５，一次圧力調整器２７および二次圧力調整器２９を経てバルク供給装置の外部に取り出され、図示しないガスメータなどを経て燃焼器へ供給される。
【手続補正１８】
【補正対象書類名】明細書
【補正対象項目名】００２５
【補正方法】変更
【補正の内容】
【００２５】
ここで、ガス取出弁１７は、バルク容器１５の上部に設けられているので、気相部Ｇとの温度差が殆どなく、このため気化したＬＰガスの再液化が抑制される。再液化が抑制されることで、ガス取出弁１７の下流のガス放出防止器２５，一次圧力調整器２７および二次圧力調整器２９などからなるガス供給設備ユニット２１の劣化が抑制され、圧力調整器出口側の圧力変動あるいはガスストップなどの不具合も防止される。
【手続補正１９】
【補正対象書類名】明細書
【補正対象項目名】００２６
【補正方法】変更
【補正の内容】
【００２６】
また、安全弁１９を、上記取出弁１７と同様に、バルク容器１５の上部に設けたので、側部に設けた場合に必要となる放出パイプが不要となる。
【手続補正２０】
【補正対象書類名】明細書
【補正対象項目名】００２７
【補正方法】変更
【補正の内容】
【００２７】
さらに、液取入弁３３，液取出弁３５および均圧弁，液面計を、バルク容器１５の側部に設けたので、ＬＰガスの充填作業性や工事性およびメンテナンス性が向上している。
【手続補正２１】
【補正対象書類名】明細書
【補正対象項目名】００２８
【補正方法】変更
【補正の内容】
【００２８】
【発明の効果】
以上説明してきたように、請求項１の発明によれば、バルク容器内で気化した液化石油ガスは、取出パイプを必要とすることなく、バルク容器の上部に設けたガス取出弁から直接外部に取り出せるので、液化石油ガスの再液化を抑制でき、これによりガス取出弁の下流に接続されるガス供給設備ユニットの劣化を抑制でき、圧力変動やガスストップなどの不具合を防止することができる。また、バルク容器の側部に液取入弁および液取出弁など他の付属機器を設けたため、液化石油ガスの充填作業性や工事性およびメンテナンス性などを向上させることができる。
【手続補正２２】
【補正対象書類名】明細書
【補正対象項目名】００２９
【補正方法】変更
【補正の内容】
【００２９】
請求項２の発明によれば、安全弁をバルク容器の上部に設けたため、側部に設けた場合に必要となる放出パイプを不要とすることができる。
【手続補正２３】
【補正対象書類名】明細書
【補正対象項目名】００３０
【補正方法】変更
【補正の内容】
【００３０】
請求項３の発明によれば、ガス取出弁，安全弁およびガス供給設備ユニットを第１のプロテクタで覆うとともに、液取入弁および液取出弁など他の付属機器を第２のプロテクタで覆っているので、美観向上を達成することができる。
【手続補正２４】
【補正対象書類名】明細書
【補正対象項目名】００３１
【補正方法】変更
【補正の内容】
【００３１】
請求項４の発明によれば、液化石油ガスの再液化の抑制により、ガス取出弁の下流に接続されるガス放出防止器および圧力調整器の劣化を抑制でき、圧力変動やガスストップなどの不具合を防止することができる。
【手続補正２５】
【補正対象書類名】明細書
【補正対象項目名】００３２
【補正方法】変更
【補正の内容】
【００３２】
請求項５の発明によれば、バルク容器を縦長形状としてバルク供給装置の設置スペースを最小限に抑えたものでも、気化した液化石油ガスの再液化を確実に抑制することができる。